(57)【要約】【課題】置く場所をあまり選ばず、倒れても気にすることなく、さらに折りたたみ式で携帯性に優れた読書灯【解決手段】底面は中空の半球形と半球形内面の中央におもりの役割とした磁石を設け、伸縮自由な蛇腹状の円錐台形胴体の上面部に中空かつ透明の略球形笠を設け、略球形笠の連接部に円錐台胴体の側面部に対し直角となる円環状平面部を設けた読書灯。半球形底面の形状とおもりの働きにより、触れて倒れても自ら立ち上がることができ、手作業するときに手の周りに置いても倒れる心配がない。略球形笠内面の発光部材は、周囲の照射と点滅発光の警告灯の役割と円錐台胴体周りの斜面に沿って一定の範囲を照射し、パソコンの横や室外で使用するときなど様々な用途ができ便利である。また両方とも同時に点灯することにより二重の効果が得られる。さらに蛇腹の円錐台胴体は収納性があり、携帯するのにも便利である。【選択図】図６
0003133037.tif 000002
【実用新案登録請求の範囲】
【請求項１】
中空の円錐台の形の胴体は伸縮自由の蛇腹形にしたもので、円錐台の底面は中空の半球形で中空の半球の内面の中央部におもりの役割を果たす磁石を設け、円錐台形胴体の上面部に中空且つ透明の略球形笠を有し、円錐台形胴体の底面部は半球形の形と磁石のおもりにより前記本体の全体は略球形笠を上方にして位置が保持される読書灯
【請求項２】
中空且つ透明の略球形笠と円錐台の上面部との連接部は、円錐台胴体側面部に対し直角となる円環状平面部を設けることにより、円環状平面部の内部の発光部材は円錐台胴体の外表面部に沿って照射することができ、さらに中空且つ透明の略球形笠上部の発光部は、略球形周り全体を照射することができる請求項１に記載の読書灯
【請求項３】
伸縮自由の蛇腹の円錐台胴体は、円錐台胴体の中空部の中央に円錐台の上面部の中心から円錐台底面部の中心まで定められた長さの紐を設け、蛇腹形中空の円錐台形胴体が伸び縮みするときの全体の長さの最大値を保つことが出来、全体の重量のバランスを保つことが出来る請求項１または２に記載の読書灯
【請求項４】
発光部材の電源用電池ケースは、円錐台胴体の底面の半球形の円心の高さ、および円錐台形の下平面部に相当する位置を設けることにより電池ケースが本体の重量バランスに影響を及ぼさない請求項１〜３のいずれか１項に記載の読書灯
【請求項５】
半球状底面を安定させて置くための充電器を兼ね備えた筒状環形卓上ホルダーを設け、本体を卓上ホルダーに乗せることにより光の安定した照射状態を保つことが出来、且つ乗せた状態で充電することもできる請求項１〜４のいずれか１項に記載の読書灯の卓上ホルダー
【考案の詳細な説明】
【技術分野】
【０００１】
本考案は、読書灯に関するものである
【背景技術】
【０００２】
読書灯やベッドライトなどの照明光源は、底面は平らな台座の上にアーム式またはフレキシブルアーム式などを用いて、ヘッド部は回転可能なものや壁掛け式のものもある。
【０００３】
しかしながらこのような読書灯ベッドライトなどの照明光源は、デスクの上など定められたところに置くことしかできず、読書する場所を移動するときにライトの置く場所やコンセントの位置を探さなければならないし、電源用コードにより倒れる心配もある。
【特許文献１】特開２００６−１２７５５
【特許文献２】特開２００４−１４６３１５
【特許文献３】特開平１０−２４１４４７
【考案の開示】
【考案が解決しようとする課題】
【０００４】
置く場所をあまり選ぶことなく且つ触れても倒れない、しかも折りたたみ式で携帯時にも便利な読書灯
【課題を解決するための手段】
【０００５】
底面は中空の半球形となり、中空の半球形内面の中央におもりの役割として磁石を設け、胴体は伸縮自由な蛇腹状の円錐台形である。円錐台の上面部に中空かつ透明の略球形笠を設け、円錐台胴体上面部周りと略球形笠の連接部に、円錐台胴体側面部に対し直角となる円環状平面部を設け、円環状平面部の内部の発光部材は円錐台胴体の外表面部に沿って照射することができ、さらに中空且つ透明の略球形笠上部に発光部材は  略球形の周囲を照射することができる。また、パソコンの横に置くなどの長時間の使用で光の安定照射を必要とするときに充電器付き卓上ホルダーを用いることにより、前記本体の半球状底面を安定させて置くことができ、同時に充電することもできる。
【考案の効果】
【０００６】
中空の半球形の本体の底面となり、且つ中空の半球形内面の中央におもりの役割になる磁石を設けることにより、触れて倒れても底面の形とおもりと本体バランスの働きにより元に戻ることができる。手作業するときなど手の周りに置いても倒れる心配がなく、置き場所もあまり選ばない。また、コードレスであるため屋外で用いることもできる。屋外の使用方法として、略球形笠内面の発光部材は周囲の照射と点滅発光の警告灯の役割と円錐台胴体周りの斜面に沿って本体の置く場所の一定の範囲を照射し、また両方とも同時に点灯することにより二重の効果が得られる。照明灯および警告灯の照明光源を設置することで、使用の目的に合った配光をすることができる。
【考案を実施するための最良の形態】
【０００７】
図１は本体の全体の正面図である。中空の半球形の底面Ａと蛇腹形材の円錐台胴体Ｂの上部が略球形笠Ｅのヘッド部を示している。
【０００８】
図２は本体全体の断面図である。磁石をおもりA-aの役割として中空の半球形底面Ａの内面中央部に設け、底面の半球状ＡとおもりA-aによって略球形笠Ｅは前記本体の上方位置を保つことが出来る。また磁石A-aの重さ等の調整をすることが好ましい。
【０００９】
中空の半球形本体底面Ａの半球状上面開口を伸縮自在な蛇腹の円錐台胴体Ｂの下方と連接し、蛇腹形胴体Ｂは全体の長さの調節を行うだけでなく、図７のようにヘッドの部分Ｃを斜め下に向くようにするとヘッド部下方照射光源Ｆは斜光を照射することができる。そうすることにより例えばパソコンのよこに置くときキーボードの上に斜光に照射するなどに使用することができる。
【００１０】
蛇腹形胴体Ｂの伸びる長さは全体の重量のバランスに関係あり、毎回伸びたときの長さを一定にする必要があるため、あらかじめ定められた長さの紐B-aを本体底面の中央A-bから円錐台胴体上面部の中央B-bに連接する（図に参照）。そうすることにより蛇腹の胴体Ｂの伸びがいつも一定にでき、伸びすぎを防ぐことができる。
【００１１】
本体の上部の発光部電源供給用電池ケースA-cの位置が底面中空の半球形Ａの円心の高さ、すなわち円錐台底面部の位置に設け、例えば本体を横の状態になった場合に、前述半球形上面開口部周りの縁部が本体全体の支点となるが、電池ケースも同時に支点に位置するため磁石A-aの重さで本体をもとの状態にもとるときの支障にならない。
【００１２】
電池ケースA-cの電気コードは、前述底面中央A-bと円錐台上面中央部B-bに連接する紐B-aを沿う本体上面部の発光源部に連接し、蛇腹形胴体Ｂが伸縮するときに電気コードが乱れないよう前記紐B-aに巻きつくような形にする。
【００１３】
図３−１は蛇腹形円錐台胴体部Ｂの斜視図である  図３−２は中空の半球形底面Ａの斜視図である
【００１４】
図４は本体上部略球形笠の発光部の分解した各部材の正面断面図である。円錐台上面の平面部の周り縁に筒状円環状をかこむ皿の形にすることで（図に参照）、皿の筒状円環状と図４−３に示した透明の略平面の円環状部材Ｃ下部の筒状円環状部分を嵌合することができる
【００１５】
図４−２に示した発光部材設置台Ｄは、略半球形状と略平面円環状と組み合わせ且つ中空のものと下部は筒状円環状を一体にした形をなし、下部の筒状円環状部分は前記透明の略平面円環状部材Ｃと嵌合することができる。発光部材設置台Ｄの略半球形上面視の略半球形の外表面部に環形の形にＬＥＤ発光部材Ｇを設け、略半球形の外表面にＬＥＤ発光部材Ｇを突出させて設置すると、発光部材Ｇが略球形に照射することができる（図に参照）。
【００１６】
発光部材設置台Ｄの略平面円環状下面部に円環状下面部を反射面として反射面の上に環形発光部材Ｆを設け、発光部材設置台Ｄと透明の略平面円環状部材Ｃと円錐台胴体上面の皿部を嵌合の状態で環形発光部材Ｆは透明の略平面円環部Ｃを通って  円錐台胴体Ｂの斜面を沿う照射することができる（図に参照）。透明中空の略半球形笠Ｅは発光部材設置台Ｄを覆いかぶせて、略半球形の開口部の縁部と透明略平面円環状部材Ｃの平面円環の縁部と連結させることで、発光部の全体が略球形笠の形になる（図参照）。
【００１７】
図５は略球形笠の発光部の分解した各部材の斜視図である。図６は本体全体斜視図である。図７は本体上部略球形笠の発光部を斜め下照射の形にしたもので、前記環形発光部材Ｆを円錐台胴体Ｂの斜面照射だけではなく、斜め下に照射することもできる。
【００１８】
図８−１は卓上ホルダーＨの斜視図である  図８−２は卓上ホルダーＨの正面断面図である。パソコンの横に置くなどの長時間の使用で光の安定照射を必要とするときに卓上ホルダーＨを用いることにより、前記本体の半球状底面を安定させて置くことができ、さらに充電器を兼ね備えた筒状環形卓上ホルダーＨであるため、本体を乗せた状態で充電することもできる。
【図面の簡単な説明】
【００１９】
【図１】本体全体正面図
【図２】本体全体正面断面図
【図３】半球形底面と蛇腹円錐台胴体斜視図
【図４】略球形笠部材分解正面図
【図５】略球形笠部材分解斜視図
【図６】本体全体斜視図
【図７】略球形笠部材斜光用示し図
【図８】卓上ホルダー
【符号の説明】
【００２０】
Ａ        半球形底面
A-a      おもり用磁石
A-b      半球形内面中央紐連接部
A-c      電池ケース
Ｂ        蛇腹形円錐台胴体
B-a      紐
B-b      円錐台胴体上面部中央紐連接部
Ｃ        透明略平面円環状部材
Ｄ        発光部材設置台
Ｅ        透明中空略半球形笠
Ｆ        下方照射用環形発光部材
Ｇ        略球形周り照射用発光部材
Ｈ        卓上ホルダー
【図１】
0003133037.tif 000003
【図２】
0003133037.tif 000004
【図３】
0003133037.tif 000005
【図４】
0003133037.tif 000006
【図５】
0003133037.tif 000007
【図６】
0003133037.tif 000008
【図７】
0003133037.tif 000009
【図８】
0003133037.tif 000010